(57)【特許請求の範囲】
【請求項１】
センター・クッション本体が、それの前端側で裏面に段付けされた棚を有してリア・シート・クッションのセンター窪みにおいてその前端でリア・シート・クッション・フレームにヒンジ結合され、そして、そのセンター窪みから前方に跳ね上げられてコンソール状態にされ、また、その跳ね上げ位置から後方に倒され、そのセンター窪みに収められてクッション状態にされ、そして、センター・クッション操作グリップが、そのセンター・クッション本体のその裏面から適宜の間隔を置いて電子機器止めクリップをそのセンター・クッション本体のその前端方向に適宜に突き出す構造に樹脂から一体的に成形されてそのセンター・クッション本体の後端面に固定的に取り付けられ、そして、そのセンター・クッション本体がコンソール状態にされて電子機器類がそのセンター・クッション本体のその棚にのせられ、そして、そのセンター・クッション本体のその裏面に置かれる際、そのクリップでその電子機器類をその裏面に柔軟に押え付けてその電子機器類を安定的に固定するところの自動車のリア・シートに用いるセンター・クッション。
【請求項２】
そのセンター・クッション操作グリップおよび電子機器止めクリップが、柔軟質樹脂から一体的に成形される請求項１に記載の自動車のリア・シートに用いるセンター・クッション。
【発明の詳細な説明】
【技術分野】
【０００１】
この発明は、自動車のリア・シートに用いるセンター・クッションに関し、詳細には、電子機器類の薄型で大型化に適合するように跳ね上げセンター・クッションの改良に関する。
【背景技術】
【０００２】
自動車のリア・シートでは、近年、電子機器類が薄型で大型化されるに伴ってセンター・アームレストが狭くなって使いなくなり、また、跳ね上げセンター・クッションには、跳ね上げてコンソール状態で裏面に薄型で大型の電子機器類をのせても押さえがなく、走行時には、振動や横Gなどで脱落してしまう不具合があった。
【先行技術文献】
【特許文献】
【０００３】
特開２００１−３７５８１公報
【発明の概要】
【発明が解決しようとする課題】
【０００４】
この発明の課題は、電子機器類の薄型で大型化に適合でき、跳ね上げてコンソール状態で裏面にその薄型で大型の電子機器類をのせてその電子機器類をその裏面に柔軟に押す付け、そして、安定的に固定でき、走行中、振動や横Gなどで脱落することを未然に回避で
き、そして、移動を快適にするところの自動車のリア・シートに用いるセンター・クッションを提供するにある。
【課題を解決するための手段】
【０００５】
この発明の自動車のリア・シートに用いるセンター・クッションは、センター・クッション本体が、それの前端側で裏面に段付けされた棚を有してリア・シート・クッションのセンター窪みにおいてその前端でリア・シート・クッション・フレームにヒンジ結合され、そして、そのセンター窪みから前方に跳ね上げられてコンソール状態にされ、また、その跳ね上げ位置から後方に倒され、そのセンター窪みに収められてクッション状態にされ、そして、センター・クッション操作グリップが、そのセンター・クッション本体のその裏面から適宜の間隔を置いて電子機器止めクリップをそのセンター・クッション本体のその前端方向に適宜に突き出す構造に樹脂から一体的に成形されてそのセンター・クッション本体の後端面に固定的に取り付けられ、そして、そのセンター・クッション本体がコンソール状態にされて電子機器類がそのセンター・クッション本体のその棚にのせられ、そして、そのセンター・クッション本体のその裏面に置かれる際、そのクリップでその電子機器類をその裏面に柔軟に押え付けてその電子機器類を安定的に固定する。
【発明の効果】
【０００６】
この発明の自動車のリア・シートに用いるセンター・クッションでは、電子機器類の薄型で大型化に適合でき、その薄型で大型の電子機器類が跳ね上げてコンソール状態で裏面にのせてその裏面に柔軟に押え付け、そして、安定的に固定でき、走行中、振動や横Gな
どで脱落することが未然に回避され、そして、その電子機器類が活用できて移動が快適になる。
【図面の簡単な説明】
【０００７】
【図１】この発明の自動車のリア・シートに用いるセンター・クッションの具体例を活用するところの乗用車のリア・シートを示した部分斜視図である。
【図２】そのセンター・クッションを跳ね上げてコンソール状態で示した斜視図である。
【図３】そのセンター・クッションを跳ね上げてコンソール状態で示した側面図である。
【図４】センター・クッション操作グリップを示した斜視図である。
【発明を実施するための形態】
【０００８】
この発明の自動車のリア・シートに用いるセンター・クッションは、センター・クッション本体が、それの前端側で裏面に段付けされた棚を有してリア・シート・クッションのセンター窪みにおいてその前端でリア・シート・クッション・フレームにヒンジ結合され、そして、そのセンター窪みから前方に跳ね上げられてコンソール状態にされ、また、その跳ね上げ位置から後方に倒され、そのセンター窪みに収められてクッション状態にされ、そして、センター・クッション操作グリップが、そのセンター・クッション本体のその裏面から適宜の間隔を置いて電子機器止めクリップをそのセンター・クッション本体のその前端方向に適宜に突き出す構造に樹脂から一体的に成形されてそのセンター・クッション本体の後端面に固定的に取り付けられ、そして、そのセンター・クッション本体がコンソール状態にされて電子機器類がそのセンター・クッション本体のその棚にのせられ、そして、そのセンター・クッション本体のその裏面に置かれる際、そのクリップでその電子機器類をその裏面に柔軟に押え付けてその電子機器類を安定的に固定する。
【０００９】
そして、そのセンター・クッション操作グリップおよび電子機器止めクリップは柔軟質樹脂から一体成形されるのが望ましい。
【実施例１】
【００１０】
以下、特定されて図示された具体例に基づいて、この発明の自動車のリア・シートに用いるセンター・クッションを説明するに、図1ないし図４は、乗用車のリア・シート４０
に活用されるところのこの発明の自動車のリア・シートに用いるセンター・クッションの具体例１０を示し、そして、そのリア・シート４０は、左右のクッション４２、４３およびセンター・クッション１０からなるベンチ型リア・シート・クッション４１、リクライニング・デバイス（図示せず）でそのベンチ型リア・シート・クッション４１にヒンジ結合される左右のリア・シート・バック４４、４５、およびセンター・バック４６、および左右のヘッドレスト（図示せず）などで、組み立てられ、そして、このリア・シート４０では、そのセンター・クッション１０が、固定部分１１と跳ね上げ部分１３からなり、そして、その固定部分１１はセンター窪み１２を備え、また、その跳ね上げ部分１３はセンター・クッション本体でその固定部分１１のそのセンター窪み１２において前端１６でリア・シート・クッション・フレーム（図示せず）にヒンジ結合される。
【００１１】
このセンター・クッション１０では、そのセンター・クッション本体１３が、それの前端１６側で裏面１７に段付けされた棚１９を有してリア・シート・クッション４１のセンター窪み１２においてその前端１６でリア・シート・クッション・フレームにヒンジ結合され、そして、そのセンター窪み１２から前方に跳ね上げられてコンソール状態にされ、また、その跳ね上げ位置から後方に倒され、そのセンター窪み１２に収められてクッション状態にされ、そして、センター・クッション操作グリップ２０が、そのセンター・クッション本体１３のその裏面１７から適宜の間隔を置いて電子機器止めクリップ２３をそのセンター・クッション本体１３のその前端方向に適宜に突き出す構造に樹脂から一体的に成形されてそのセンター・クッション本体１３の後端面１８に固定的に取り付けられ、そして、そのセンター・クッション本体がコンソール状態にされて電子機器類がそのセンター・クッション本体１３のその棚１９にのせられ、そして、そのセンター・クッション本体１３のその裏面１７に置かれる際、そのクリップ２３でその電子機器類３０をその裏面１７に柔軟に押え付けてその電子機器類３０を安定的に固定する。
【００１２】
さらに詳細には、そのセンター・クッション本体１３は、センター・クッション・フレーム（図示せず）にパッド１４を組み付け、それにトリム・カバー１５を被せて固定し、そして、このセンター・クッション本体１３は、それの後端面１８にグリップはめ込み口（図示せず）を開口し、そのグリップはめ込み口にそのセンター・クッション操作グリップ２０をはめ込み、そのセンター・クッション操作グリップ２０をその後端面１８にねじ止めして組み立てられる。
【００１３】
そのセンター・クッション操作グリップ２０は、一端を開口する長方形箱形グリップ本体２１と、そのグリップ本体２１の開口端で外周に外向きに突き出される取付けフランジ２２からなる構造に設計され、そして、その取付けフランジ２２において一方の長いフランジ部分にその電子機器止めクリップ２３を突き出して樹脂から一体成形される。
その電子機器止めクリップ２３は、その取付けフランジ２２よりも薄くされてその電子機器類３０をそのセンター・クッション本体１３のその裏面１７に柔軟に押し付け可能にしている。勿論、そのセンター・クッション操作グリップ２０および電子機器止めクリップ２３は柔軟質樹脂から一体成形されるのが望ましい。
【００１４】
したがって、このセンター・クッション１０では、その電子機器類３０の薄型で大型化に適合でき、その薄型で大型の電子機器類３０が、そのセンター・クッション１０を跳ね上げてコンソール状態でそのセンター・クッション１０のその裏面１７にのせてその電子機器止めクリップ２３でその裏面１７に柔軟に押し付けられ、そして、安定的に固定され、その乗用車の走行中、その電子機器類３０が振動や横Gなどで脱落することもなく、そ
のコンソール状態のそのセンター・クッション１０のその裏面１７にしっかりと保持され、その電子機器類３０が活用できて移動が快適になる。
【００１５】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１６】
上述から理解されるように、この発明の自動車のリア・シートに用いるセンター・クッションは、センター・クッション本体が、それの前端側で裏面に段付けされた棚を有してリア・シート・クッションのセンター窪みにおいてその前端でリア・シート・クッション・フレームにヒンジ結合され、そして、そのセンター窪みから前方に跳ね上げられてコンソール状態にされ、また、その跳ね上げ位置から後方に倒され、そのセンター窪みに収められてクッション状態にされ、そして、センター・クッション操作グリップが、そのセンター・クッション本体のその裏面から適宜の間隔を置いて電子機器止めクリップをそのセンター・クッション本体のその前端方向に適宜に突き出す構造に樹脂から一体的に成形されてそのセンター・クッション本体の後端面に固定的に取り付けられ、そして、そのセンター・クッション本体がコンソール状態にされて電子機器類がそのセンター・クッション本体のその棚にのせられ、そして、そのセンター・クッション本体のその裏面に置かれる際、そのクリップでその電子機器類をその裏面に柔軟に押え付けてその電子機器類を安定的に固定するので、この発明の自動車のリア・シートに用いるセンター・クッショでは、その電子機器類の薄型で大型化に適合でき、その薄型で大型の電子機器類が、そのセンター・クッションを跳ね上げてコンソール状態でそのセンター・クッションのその裏面にのせてその電子機器止めクリップでその裏面に柔軟に押し付けられ、そして、安定的に固定され、その自動車の走行中、その電子機器類が振動や横Gなどで脱落することもなく、そ
のコンソール状態のそのセンター・クッションのその裏面にしっかりと保持され、その電子機器類が活用できて移動が快適になり、その結果、自動車のリア・シートにとって非常に有用で実用的である。
【符号の説明】
【００１７】
１０  自動車のリア・シートに用いるセンター・クッション
１１  固定部分
１２  センター窪み
１３  跳ね上げ部分／センター／クッション本体
１４  パッド
１５  トリム・カバー
１６  前端
１７  裏面
１８  後端面
１９  棚
２０  センター・クッション操作グリップ
２１  長方形箱形グリップ本体
２２  取付けフランジ
２３  電子機器止めクリップ
３０  電子機器類
４０  乗用車のリア・シート
４１  ベンチ型リア・シート・クッション
４２  左のクッション
４３  右のクッション
４４  左のリア・シート・バック
４５  右のリア・シート・バック
４６  センター・バック
【図１】
0005661551.tif 000002
【図２】
0005661551.tif 000003
【図３】
0005661551.tif 000004
【図４】
0005661551.tif 000005